(57)【要約】【課題】斬新な発光態様で導光体を発光させる。【解決手段】灯具１は、ＬＥＤ２と、当該ＬＥＤ２からの光を導光させつつ発光する導光レンズ３の第二導光部３２とを備える。第二導光部３２は、その後面に設けられ、ＬＥＤ２からの前方への光を当該第二導光部３２内に入射させる入射面３２ａと、前面のうち入射面３２ａの前方に位置する部分に金属反射膜が被膜されて構成され、入射面３２ａからの光を下方へ内部反射させる前部反射面３２ｃと、後面のうち前部反射面３２ｃの下方に位置する部分に金属反射膜が被膜されて構成され、前部反射面３２ｃからの光を前方へ内部反射させる後部反射面３２ｂと、前面のうち後部反射面３２ｂの前方に位置する部分に設けられ、後部反射面３２ｂからの光を出射させる出射面３２ｄとを有するとともに、前面の前部反射面３２ｃと後面の後部反射面３２ｂとが、正面視で上下方向に部分的に重なっている。【選択図】図３
2015103328.tif 000002
【特許請求の範囲】
【請求項１】
光源と、当該光源から出射された光を導光させつつ発光する導光体とを備える灯具であって、
前記導光体は、
当該導光体の後面に設けられ、前記光源からの前方への光を当該導光体内に入射させる入射面と、
当該導光体の前面のうち前記入射面の前方に位置する部分に金属反射膜が被膜されて構成され、前記入射面から当該導光体内に入射した光を、前後方向と略直交する直交方向における一方側の反射方向へ内部反射させる前部反射面と、
当該導光体の後面のうち前記前部反射面の前記反射方向に位置する部分に金属反射膜が被膜されて構成され、前記前部反射面で内部反射された光を前方へ内部反射させる後部反射面と、
当該導光体の前面のうち前記後部反射面の前方に位置する部分に設けられ、前記後部反射面で内部反射された光を前方へ出射させる出射面と、
を有するとともに、
前面の前記前部反射面と後面の前記後部反射面とが、正面視で前記直交方向に部分的に重なっていることを特徴とする灯具。
【請求項２】
前記導光体の前記入射面の後方に配置され、前記光源からの光を導光させつつ前記入射面に向けて出射させる他の導光体を備え、
前記光源は、前記他の導光体のうち、前後方向及び前記直交方向の何れとも略直交する第二直交方向の端面に対向配置され、
前記他の導光体の後面には、前記光源から出射されて前記端面から当該他の導光体内に入射した光を前方へ反射させる複数のレンズカットが形成されていることを特徴とする請求項１に記載の灯具。
【請求項３】
前記導光体と前記他の導光体とは、前後方向に隙間を介在させて配置されるとともに前記第二直交方向の両端で連結された状態で、互いに一体成形されていることを特徴とする請求項２に記載の灯具。
【請求項４】
前記導光体は、当該導光体の前面のうち、前記前部反射面と前記出射面との間の位置に、当該前部反射面及び当該出射面と連なりつつ、前記前部反射面よりも透過率の高い金属反射膜が被膜されて構成され、前記入射面又は前記後部反射面からの光のうち、一部を前方へ透過させつつ残りを前記反射方向へ内部反射させる第二前部反射面を有することを特徴とする請求項１〜３の何れか一項に記載の灯具。
【発明の詳細な説明】
【技術分野】
【０００１】
本発明は、導光体を発光させる灯具に関する。
【背景技術】
【０００２】
従来、例えば車両用などの各種の灯具として、光源からの光によって導光体を発光させるものが知られている（例えば、特許文献１，２参照）。このような灯具では、一般に、光源からの光を側端部から導光体内に入射させた後に、当該導光体内を導光させつつ後面で前方へ反射させて前面から出射させることにより、この導光体の前面を発光させている。
【先行技術文献】
【特許文献】
【０００３】
【特許文献１】特開２０１１−１９８５３６号公報
【特許文献２】特開２０１１−２１６２７９号公報
【発明の概要】
【発明が解決しようとする課題】
【０００４】
しかしながら、上記従来の灯具では、非点灯時の見栄えが、透明な導光体の前面を露出させた代わり映えのしないものであり、この前面が明らかに発光部と分かるものであった。つまり、導光体のうち非点灯時に明らかに発光部と分かる透明な前面が単純に発光しており、その発光態様は斬新性に乏しいものであった。
【０００５】
本発明は、上記課題を鑑みてなされたもので、斬新な発光態様で導光体を発光させることができる灯具の提供を目的とする。
【課題を解決するための手段】
【０００６】
上記目的を達成するために、請求項１に記載の発明は、
光源と、当該光源から出射された光を導光させつつ発光する導光体とを備える灯具であって、
前記導光体は、
当該導光体の後面に設けられ、前記光源からの前方への光を当該導光体内に入射させる入射面と、
当該導光体の前面のうち前記入射面の前方に位置する部分に金属反射膜が被膜されて構成され、前記入射面から当該導光体内に入射した光を、前後方向と略直交する直交方向における一方側の反射方向へ内部反射させる前部反射面と、
当該導光体の後面のうち前記前部反射面の前記反射方向に位置する部分に金属反射膜が被膜されて構成され、前記前部反射面で内部反射された光を前方へ内部反射させる後部反射面と、
当該導光体の前面のうち前記後部反射面の前方に位置する部分に設けられ、前記後部反射面で内部反射された光を前方へ出射させる出射面と、
を有するとともに、
前面の前記前部反射面と後面の前記後部反射面とが、正面視で前記直交方向に部分的に重なっていることを特徴とする。
【０００７】
請求項２に記載の発明は、請求項１に記載の灯具において、
前記導光体の前記入射面の後方に配置され、前記光源からの光を導光させつつ前記入射面に向けて出射させる他の導光体を備え、
前記光源は、前記他の導光体のうち、前後方向及び前記直交方向の何れとも略直交する第二直交方向の端面に対向配置され、
前記他の導光体の後面には、前記光源から出射されて前記端面から当該他の導光体内に入射した光を前方へ反射させる複数のレンズカットが形成されていることを特徴とする。
【０００８】
請求項３に記載の発明は、請求項２に記載の灯具において、
前記導光体と前記他の導光体とは、前後方向に隙間を介在させて配置されるとともに前記第二直交方向の両端で連結された状態で、互いに一体成形されていることを特徴とする。
【０００９】
請求項４に記載の発明は、請求項１〜３の何れか一項に記載の灯具において、
前記導光体は、当該導光体の前面のうち、前記前部反射面と前記出射面との間の位置に、当該前部反射面及び当該出射面と連なりつつ、前記前部反射面よりも透過率の高い金属反射膜が被膜されて構成され、前記入射面又は前記後部反射面からの光のうち、一部を前方へ透過させつつ残りを前記反射方向へ内部反射させる第二前部反射面を有することを特徴とする。
【発明の効果】
【００１０】
請求項１に記載の発明によれば、光源を発光させていない非点灯時には、前方から見たときに、導光体のうち、前面の前部反射面と、前面の出射面を透して後面の後部反射面とが視認される。そして、これら前面の前部反射面と後面の後部反射面とは、何れも金属反射膜が被膜されているとともに、正面視で前後方向と直交する直交方向（例えば上下方向）に部分的に重なっている。そのため、当該灯具を非点灯時に前方から見たときには、導光体の前面があたかも全面に亘って金属光沢を有している見栄えで視認される。
また、光源を発光させた点灯時には、この光源から出射されて入射面から前方向きに導光体内に入射した光が、前面の前部反射面で直交方向の一方側へ内部反射された後に、後面の後部反射面によって前方へ内部反射されて前面の出射面から出射することにより、当該出射面が発光する。したがって、この点灯時には、導光体のうち後面の後部反射面の前方に位置する出射面が発光するため、非点灯時に金属光沢を有する見栄えで視認された部分が発光することとなる。
よって、透明な導光体の前面を単純に発光させていた従来と異なり、斬新な発光態様で導光体を発光させることができる。
【００１１】
請求項３に記載の発明によれば、光源からの光を導光体に向けて出射させる他の導光体と、この他の導光体からの光によって発光する導光体とが、前後方向に隙間を介在させて配置されるとともに、前後方向及び直交方向の何れとも略直交する第二直交方向（例えば左右方向）の両端で連結された状態で、互いに一体成形されている。したがって、これら導光体及び他の導光体を別体で設ける場合に比べ、部品点数や組立工数を低減させることができる。
【００１２】
請求項４に記載の発明によれば、導光体は、その前面のうち、前部反射面と出射面との間の位置に、当該前部反射面及び当該出射面と連なりつつ、前部反射面よりも透過率の高い金属反射膜が被膜されて構成された第二前部反射面を有している。したがって、点灯時には、入射する光のほぼ全てが透過する出射面と、入射する光の一部だけが透過する第二前部反射面とが連なって発光するグラデーションの発光態様となり、より斬新な発光態様で導光体を発光させることができる。
【図面の簡単な説明】
【００１３】
【図１】実施形態における灯具の正面図である。
【図２】実施形態における灯具の要部の平面図である。
【図３】図１のIII−III線での断面図である。
【図４】実施形態における灯具の変形例を説明するための側断面図である。
【発明を実施するための形態】
【００１４】
以下、本発明の実施形態について、図面を参照して説明する。
図１は、本実施形態における灯具１の正面図であり、図２は、灯具１の要部の平面図であり、図３は、図１のIII−III線での断面図である。
なお、以下の説明では、「前」「後」「左」「右」「上」「下」との記載は、特に断りのない限り、灯具１から見た方向を意味するものとする。
【００１５】
図１及び図２に示すように、灯具１は、２つのＬＥＤ（発光ダイオード）２，２と、導光レンズ３とを備えている。これら２つのＬＥＤ２，２及び導光レンズ３は、導光レンズ３（後述の第二導光部３２）の前面を前方に露出させた状態で、ハウジング４に保持されている。
【００１６】
２つのＬＥＤ２，２は、灯具１の光源であり、後述するように、導光レンズ３の第一導光部３１の両端面３１ａ，３１ａに発光面を対向させた状態に配置されている。
【００１７】
導光レンズ３は、２つのＬＥＤ２，２から出射された光を導光させつつ当該光によって発光するものであり、無色透明の導光材料を基体としている。この導光レンズ３は、２つのＬＥＤ２，２からの光を長手方向に広げつつ出射させる第一導光部３１と、この第一導光部３１からの光によって発光する第二導光部３２とを備えて構成されている。
【００１８】
このうち、第一導光部３１は、長手方向に沿って後方へやや湾曲した断面略矩形状の長尺な棒状に形成され、正面視で左上がりにやや傾斜するとともに平面視で左斜め後方へ傾斜した状態に配置されている。この第一導光部３１のうち、左右方向の両端面３１ａ，３１ａは、２つのＬＥＤ２，２と対向しており、これら２つのＬＥＤ２，２から出射された光を当該第一導光部３１内に入射させる入射面となっている。また、第一導光部３１のうち、長手方向に沿った後面３１ｂには、図示しない複数のレンズカットが長手方向に沿って略全面に亘って形成されている。そのため、２つのＬＥＤ２，２から出射されて両端面３１ａから第一導光部３１（導光レンズ３）内に入射した光は、当該第一導光部３１内を長手方向に沿って導光しつつ後面３１ｂのレンズカットで前方へ反射されて、当該第一導光部３１の前面３１ｃから前方へ出射する。
【００１９】
第二導光部３２は、第一導光部３１と同様に、長手方向に沿って後方へやや湾曲した長尺な形状に形成され、正面視で左上がりにやや傾斜するとともに平面視で左斜め後方へ傾斜した状態で、第一導光部３１の前方に配置されている。この第二導光部３２は、図３に示すように、左右方向と直交する断面形状が略一様なものとなっており、第一導光部３１と上端の位置が一致している。
【００２０】
第二導光部３２の後面は、第一導光部３１から出射された光を当該第二導光部３２内に入射させる入射面３２ａと、当該第二導光部３２内に入射して後述の前部反射面３２ｃで内部反射された光をさらに内部反射させる後部反射面３２ｂとを有している。
入射面３２ａは、第二導光部３２の後面のうちの上部に形成されており、第一導光部３１の前面３１ｃとの間に隙間を介在させつつ当該前面３１ｃと正対している。この入射面３２ａは、第一導光部３１から前方へ出射された光をそのまま第二導光部３２内に入射させる。
後部反射面３２ｂは、第二導光部３２の後面のうち入射面３２ａよりも下側の部分（図３に太線で示す部分）に、側面視で前下がりに傾斜しつつ後方へ膨らむ湾曲面状に形成されている。この後部反射面３２ｂは、金属光沢を有する金属反射膜として透過率がほぼ０％のアルミニウム皮膜が蒸着されているとともに、後述の前部反射面３２ｃの下方に位置しており、当該前部反射面３２ｃで内部反射された光を前方へさらに内部反射させる。
【００２１】
第二導光部３２の前面は、ハウジング４から前方に露出しており、側面視で前下がりに傾斜しつつ前方へ膨らむ湾曲面状に形成されて、当該第二導光部３２の後面と下端で繋がっている。
この第二導光部３２の前面のうち、入射面３２ａの前方に位置する上側部分（図３に太線で示す部分）は、入射面３２ａから第二導光部３２内に入射した光を下方へ内部反射させる前部反射面３２ｃとなっており、金属光沢を有する金属反射膜として透過率がほぼ０％のアルミニウム皮膜が蒸着されている。また、前部反射面３２ｃは、第二導光部３２の後面の後部反射面３２ｂと、正面視で上下方向に部分的に重なっている。つまり、左右方向と直交する各断面において、前部反射面３２ｃの下端が後部反射面３２ｂの上端よりも下側に位置している。
また、第二導光部３２の前面のうち、前部反射面３２ｃよりも下側の部分は、アルミニウム皮膜などの金属反射膜が被膜されておらず、第二導光部３２内から前方へ光を出射させる出射面３２ｄとなっている。この出射面３２ｄは、後部反射面３２ｂの前方に位置しており、当該後部反射面３２ｂで前方へ内部反射された光を第二導光部３２内から出射させる。
【００２２】
また、第二導光部３２は、第一導光部３１との間に略全長に亘って前後方向に隙間を介在させつつ、長手方向（左右方向）の両端では第一導光部３１と連結されており（図２参照）、本実施形態では、第一導光部３１と互いに一体成形されている。
【００２３】
以上の構成を具備する灯具１では、２つのＬＥＤ２，２を発光させていない非点灯時には、前方から見たときに、導光レンズ３のうちハウジング４から露出した第二導光部３２の前面が視認される。より詳しくは、第二導光部３２のうち、前面上部の前部反射面３２ｃと、この前部反射面３２ｃよりも下側部分を透して後面の後部反射面３２ｂとが視認される。そして、これら前面の前部反射面３２ｃと後面の後部反射面３２ｂとは、何れも金属光沢を有する金属反射膜（アルミニウム皮膜）が被膜されているとともに、正面視で上下方向に部分的に重なっている。そのため、当該灯具１を非点灯時に前方から見たときには、導光レンズ３（第二導光部３２）の前面が、あたかも全面に亘って金属光沢を有しているメタリックな見栄えで視認される。
【００２４】
一方、２つのＬＥＤ２，２を発光させた点灯時には、この２つのＬＥＤ２，２から出射された光が、導光レンズ３の第一導光部３１の両端面３１ａ，３１ａから当該第一導光部３１内に入射してその内部を長手方向へ導光していく。そして、この光は、第一導光部３１の後面３１ｂに形成された複数のレンズカットで前方へ反射されて、当該第一導光部３１の前面３１ｃから前方へ出射される。第一導光部３１から前方へ出射された光は、第二導光部３２の後面の入射面３２ａから当該第二導光部３２内に入射した後、その前面上部の前部反射面３２ｃで下方へ内部反射される。そして、この光が、第二導光部３２の後面の後部反射面３２ｂによって前方へ内部反射されて前面の出射面３２ｄから出射することにより、当該出射面３２ｄが発光する。したがって、この点灯時には、第二導光部３２のうち後面の後部反射面３２ｂの前方に位置する出射面３２ｄが発光するため、非点灯時に金属光沢を有する見栄えで視認された部分が発光することとなる。
【００２５】
以上のように、本実施形態の灯具１によれば、非点灯時には、導光レンズ３（第二導光部３２）の前面があたかも全面に亘って金属光沢を有している見栄えで視認される一方で、点灯時には、第二導光部３２のうち後面の後部反射面３２ｂの前方に位置する出射面３２ｄが発光する。したがって、この点灯時には、非点灯時に金属光沢を有する見栄えで視認された部分が発光することとなり、透明な導光体の前面を単純に発光させていた従来と異なり、斬新な発光態様で導光レンズ３（第二導光部３２）を発光させることができる。
【００２６】
また、第一導光部３１と第二導光部３２とが、前後方向に隙間を介在させて配置されるとともに長手方向（左右方向）の両端で連結された状態で、導光レンズ３全体として互いに一体成形されているので、これら第一導光部３１及び第二導光部３２を別体で設ける場合に比べ、部品点数や組立工数を低減させることができる。
【００２７】
なお、本発明を適用可能な実施形態は、上述した実施形態に限定されることなく、本発明の趣旨を逸脱しない範囲で適宜変更可能である。
【００２８】
例えば、上記実施形態では、第二導光部３２の前面に、透過率がほぼ０％の金属反射膜（アルミニウム皮膜）が被膜された前部反射面３２ｃと、金属反射膜が被膜されていない出射面３２ｄとが形成されていることとしたが、図４に示すように、上記実施形態における出射面３２ｄの上部を、前部反射面３２ｃよりも透過率の高い金属反射膜が被膜された第二前部反射面３２ｅとしてもよい。具体的には、この第二前部反射面３２ｅは、第二導光部３２の前面のうち前部反射面３２ｃと出射面３２ｄとの間の位置に、当該前部反射面３２ｃ及び当該出射面３２ｄと連なって形成されている。また、第二前部反射面３２ｅは、前部反射面３２ｃよりも透過率の高い（例えば透過率５０％の）アルミニウム皮膜が蒸着された、いわゆるハーフミラー面であり、入射面３２ａ又は後部反射面３２ｂから当該第二前部反射面３２ｅに入射した光のうち、一部を前方へ透過させつつ残りを下方へ内部反射させる。このような第二前部反射面３２ｅを設けることにより、灯具１の点灯時には、入射する光のほぼ全てが透過する出射面３２ｄと、入射する光の一部だけが透過する第二前部反射面３２ｅとが連なって発光するグラデーションの発光態様となり、より斬新な発光態様で導光レンズ３（第二導光部３２）を発光させることができる。
【符号の説明】
【００２９】
１            灯具
２            ＬＥＤ（光源）
３            導光レンズ
３１        第一導光部（他の導光体）
３１ａ    端面
３１ｂ    後面
３１ｃ    前面
３２        第二導光部（導光体）
３２ａ    入射面
３２ｂ    後部反射面
３２ｃ    前部反射面
３２ｄ    出射面
３２ｅ    第二前部反射面
【図１】
2015103328.tif 000003
【図２】
2015103328.tif 000004
【図３】
2015103328.tif 000005
【図４】
2015103328.tif 000006